(57)【要約】【課題】  ユーザにより一旦選択された自動リダイヤルを事後的に取り消すことができるＩＰ電話システムを提供することを目的とする。【課題を解決するための手段】  発信元ＩＰ電話装置１２が、通話中の発信先ＩＰ電話装置１１へ終話通知要求メッセージを送信すると、発信先ＩＰ電話装置１１が通話終了時に発信元ＩＰ電話装置１２へ終話通知メッセージを送信し、この終話通知メッセージに基づいて、発信元ＩＰ電話装置１２が自動リダイヤルを行うＩＰ電話システムに適用される。終話通知メッセージを受信した発信元ＩＰ電話装置１２が通話中であった場合、自動リダイヤルを行わず、終話通知要求取消メッセージを発信先ＩＰ電話装置へ自動送信する。【解決手段】【選択図】  図４
2005136449.tif 000002
【特許請求の範囲】
【請求項１】
発信先ＩＰ電話装置が通話中である場合、発信元ＩＰ電話装置が、発信先ＩＰ電話装置に対し終話通知要求メッセージを送信することにより、上記通話の終了後に、発信先ＩＰ電話装置から発信元ＩＰ電話装置へ終話通知メッセージが送信され、
発信元ＩＰ電話装置が、受信した終話通知メッセージに基づいて、発信先ＩＰ電話装置に対し接続要求メッセージを自動送信するＩＰ電話システムにおいて、
発信先ＩＰ電話装置から終話通知メッセージを受信した発信元ＩＰ電話装置が通話中である場合、接続要求メッセージに代えて、終話通知要求取消メッセージが、発信元ＩＰ電話装置から発信先ＩＰ電話装置へ自動送信されることを特徴とするＩＰ電話システム。
【請求項２】
上記発信元ＩＰ電話装置が、上記発信先ＩＰ電話装置から終話通知メッセージを受信する前に、ユーザの操作入力に基づいて、終話通知要求取消メッセージを発信先ＩＰ電話装置へ送信することを特徴とする請求項１に記載のＩＰ電話システム。
【請求項３】
発信先ＩＰ電話装置から終話通知メッセージを受信するＩＰパケット受信手段と、
受信した終話通知メッセージに基づいて、発信先ＩＰ電話装置へ接続要求メッセージを自動送信するＩＰパケット送信手段とを備え、
ＩＰパケット受信手段が終話通知メッセージを通話中に受信した場合、ＩＰパケット送信手段が、発信先ＩＰ電話装置へ終話通知要求取消メッセージを自動送信することを特徴とするＩＰ電話装置。
【請求項４】
終話通知メッセージの受信前に、発信先ＩＰ電話装置に対する終話通知要求のキャンセルをユーザが指示するための操作入力手段を備え、
上記ＩＰパケット送信手段が、ユーザの操作入力に基づいて、終話通知要求取消メッセージを発信先ＩＰ電話装置へ送信することを特徴とする請求項３に記載のＩＰ電話装置。
【発明の詳細な説明】
【技術分野】
【０００１】
本発明は、ＩＰ電話システム及びＩＰ電話装置に係り、さらに詳しくは、発信先ＩＰ電話装置が通話中の場合、発信元ＩＰ電話装置が、通話終了時に発信先ＩＰ電話装置から終話通知メッセージを受信可能なＩＰ電話システム、並びに、このＩＰ電話システムに適用可能なＩＰ電話装置に関する。
【背景技術】
【０００２】
近年、ブロードバンド通信網の普及に伴って、ＩＰ（Internet Protocol）網を利用して音声通信を行うＩＰ電話システムが急速に普及しつつある。ＩＰ網とは、通信プロトコルとしてＩＰを利用するインターネットやＬＡＮなどの通信ネットワークであり、このようなＩＰ網を介して音声通信を実現するための技術はＩＰ電話又はＶｏＩＰ（Voice over IP）と呼ばれている。ＶｏＩＰでは、デジタル化及びパケット化された音声データをＩＰ電話装置間で伝送することにより音声通信を実現している。
【０００３】
ＩＰ網は、通信相手とのコネクション（接続）を確立することなく、通信相手に対しデータを送信するコネクションレス型通信の環境を提供している。これに対し、電話による音声通話は、通信相手とのコネクションが確立された後、音声データが送受信されるべきコネクション型通信である。このため、ＩＰ電話システムでは、通話に先立ってＩＰ電話同士のコネクション（通話セッション）を確立するためのシグナリングプロトコル（呼制御手順）が必要となる。このようなプロトコルとして、ＩＴＵ−ＴによるＨ．３２３勧告や、ＩＥＴＦで標準化されたＳＩＰ（Session Initiation Protocol）などがある。
【０００４】
このような従来のシグナリングプロトコルには、ユーザが発信先に指定したＩＰ電話装置が通話中であった場合、その通話が終了した後、自動リダイヤルを行うことを可能とする手順を規定しているものがあった。
【０００５】
例えば、ＳＩＰには自動リダイヤル手順が設けられており、通話中応答メッセージ（Busy）を受信した発信元ＩＰ電話装置は、通話中の発信先ＩＰ電話装置に対し、終話通知要求メッセージ（SUBSCRIBE）を送信することができる。この終話通知要求メッセージ（SUBSCRIBE）は、発信元ＩＰ電話装置のユーザが自動リダイヤルを選択した場合に送信される。当該メッセージ（SUBSCRIBE）を受信した発信先ＩＰ電話装置は、通話終了時に、発信元ＩＰ電話装置へ終話通知メッセージ（NOTIFY）を送信する。終話通知メッセージ（NOTIFY）を受信した発信元ＩＰ電話装置は自動的に接続要求メッセージ（INVITE）を上記発信先ＩＰ電話装置に対して送信する。この様にして、発信元ＩＰ電話装置は、発信先ＩＰ電話装置の通話終了時に自動的にリダイヤルを行うことができ、上記通話終了後、直ちに発信先ＩＰ電話装置との間で通話セッションを確立させることができる。
【特許文献１】特開２０００−１３８７１７号公報
【特許文献２】特開２０００−１７４９０４号公報
【発明の開示】
【発明が解決しようとする課題】
【０００６】
従来のＩＰ電話システムでは、上述した自動リダイヤル手順を採用することにより、発信先ＩＰ電話装置が通話中の場合、この発信先ＩＰ電話装置に対し終話通知要求メッセージ（SUBSCRIBE）を送信しておけば、通話終了時に終話通知メッセージ（NOTIFY）が返信され、リダイヤル操作が自動的に行われる。この様な自動リダイヤルの手順は、終話通知要求メッセージ（SUBSCRIBE）を送信することにより開始され、終話通知要求メッセージ（SUBSCRIBE）を送信するか否かは、発信元ＩＰ電話装置のユーザによって指定される。
【０００７】
しかしながら、発信先ＩＰ電話装置の通話が、何時終了するのかを予測することはできないため、終話通知要求メッセージ（SUBSCRIBE）を送信してから、終話通知メッセージ（NOTIFY）が返信されるまでの間に、発信元ＩＰ電話装置が、リダイヤルを行うことが適切でない状態に至っているという場合が考えられる。従来のＩＰ電話システムでは、このような場合であっても、リダイヤルを取り消すことができず、終話通知メッセージ（NOTIFY）の受信時に自動的に接続要求メッセージ（INVITE）が発信先ＩＰ電話装置へ送信されてしまうという問題があった。
【０００８】
例えば、終話通知メッセージ（NOTIFY）を待っている発信元ＩＰ電話装置に、他のＩＰ電話装置から着信があり、当該他のＩＰ電話装置との間で通話が開始されたような場合が考えられる。この場合、上記他のＩＰ電話装置との通話中に自動リダイヤルが行われれば、三者通話に移行するか、あるいは、上記他のＩＰ電話装置との通話を終了又は一時保留した上で新たな通話を開始するしかない。
【０００９】
また、発信元ＩＰ電話装置のユーザが、終話通知メッセージ（NOTIFY）を待っている間に、発信元ＩＰ電話装置から離れてしまう場合も考えられる。この場合、ユーザが不在であるにもかかわらず、終話通知メッセージ（NOTIFY）の受信により自動リダイヤルが行われ、無言電話をかけることになってしまう。また、終話通知を待っている間の状況変化によって、通話自体が不要になる様な場合も考えられる。
【００１０】
本発明は、上記の事情に鑑みてなされたものであり、ユーザにより一旦選択された自動リダイヤルを事後的に取り消すことができるＩＰ電話システムを提供することを目的とする。特に、通話中に終話通知メッセージを受信した場合に終話通知要求を自動的に取り消すことができるＩＰ電話システムを提供することを目的とする。また、ユーザ操作によって終話通知要求を取り消すことができるＩＰ電話システムを提供することを目的とする。
さらに、この様なＩＰ電話システムに適用可能なＩＰ電話装置を提供することを目的とする。
【課題を解決するための手段】
【００１１】
本発明によるＩＰ電話システムは、発信先ＩＰ電話装置が通話中である場合、発信元ＩＰ電話装置が、発信先ＩＰ電話装置に対し終話通知要求メッセージを送信することにより、上記通話の終了後に、発信先ＩＰ電話装置から発信元ＩＰ電話装置へ終話通知メッセージが送信され、発信元ＩＰ電話装置が、受信した終話通知メッセージに基づいて、発信先ＩＰ電話装置に対し接続要求メッセージを自動送信するＩＰ電話システムであって、発信先ＩＰ電話装置から終話通知メッセージを受信した発信元ＩＰ電話装置が通話中である場合、接続要求メッセージに代えて、終話通知要求取消メッセージが、発信元ＩＰ電話装置から発信先ＩＰ電話装置へ自動送信されるように構成される。
【００１２】
この様な構成によれば、発信先ＩＰ電話装置から終話通知メッセージを受信した際、発信元ＩＰ電話装置が通話中であれば、接続要求メッセージは自動送信されず、終話通知要求取消メッセージが自動送信される。このため、発信先ＩＰ電話装置との通話を行うことができない発信元ＩＰ電話装置において自動リダイヤルが行われるのを防止することができる。また、発信先ＩＰ電話装置に対し、終話通知要求の取り消しを通知することができる。
【００１３】
また、本発明によるＩＰ電話システムは、上記構成に加えて、上記発信元ＩＰ電話装置が、上記発信先ＩＰ電話装置から終話通知メッセージを受信する前に、ユーザの操作入力に基づいて、終話通知要求取消メッセージを発信先ＩＰ電話装置へ送信するように構成される。
【００１４】
この様な構成によれば、発信先ＩＰ電話装置から終話通知メッセージを受信する前であれば、ユーザ操作に基づいて終話通知要求を取り消すことができる。従って、ユーザが自動リダイヤルを選択したが、その後、発信元ＩＰ電話装置が通話できない状態になった場合や、通話自体が不要となった場合に、自動リダイヤルが行われるのを防止することができる。また、発信先ＩＰ電話装置に対し、終話通知要求の取り消しを通知することができる。
【００１５】
また、本発明によるＩＰ電話装置は、発信先ＩＰ電話装置から終話通知メッセージを受信するＩＰパケット受信手段と、受信した終話通知メッセージに基づいて、発信先ＩＰ電話装置へ接続要求メッセージを自動送信するＩＰパケット送信手段とを備え、ＩＰパケット受信手段が終話通知メッセージを通話中に受信した場合、ＩＰパケット送信手段が、発信先ＩＰ電話装置へ終話通知要求取消メッセージを自動送信するように構成される。この様な構成によれば、発信先ＩＰ電話装置との通話を行うことができない場合に自動リダイヤルが行われるのを防止することができる。また、発信先ＩＰ電話装置に対し、終話通知要求の取り消しを通知することができる。
【００１６】
また、本発明によるＩＰ電話装置は、上記構成に加えて、終話通知メッセージの受信前に、発信先ＩＰ電話装置に対する終話通知要求のキャンセルをユーザが指示するための操作入力手段を備え、上記ＩＰパケット送信手段が、ユーザの操作入力に基づいて、終話通知要求取消メッセージを発信先ＩＰ電話装置へ送信するように構成される。この様な構成によれば、終話通知メッセージを受信する前であれば、ユーザ操作に基づいて終話通知要求を取り消し、自動リダイヤルが行われるのを防止することができる。また、発信先ＩＰ電話装置に対し、終話通知要求の取り消しを通知することができる。
【発明の効果】
【００１７】
本発明によれば、ユーザにより一旦選択された自動リダイヤルを事後的に取り消すことができるＩＰ電話システムを提供することができる。特に、通話中に終話通知メッセージを受信した場合に自動リダイヤルが行われるのを防止し、終話通知要求を自動的に取り消すことができるＩＰ電話システムを提供することができる。また、ユーザ操作によって終話通知要求を取り消すことができるＩＰ電話システムを提供することができる。さらに、この様なＩＰ電話システムに適用可能なＩＰ電話装置を提供することを目的とする。
【発明を実施するための最良の形態】
【００１８】
実施の形態１．
図１は、本発明が適用されるＩＰ電話システムの一例を示した概略図であり、シグナリングプロトコルとしてＳＩＰを採用した場合の典型例が示されている。このＩＰ電話システムは、ＩＰ電話装置１０及び１１と、プロキシーサーバ２１及び２２と、ロケーションサーバ２３とをＩＰ網２０を介して接続することにより構成される。
【００１９】
ＩＰ電話装置１０，１１は、ＵＡ（User Agent）と呼ばれるユーザー端末であり、いずれもＩＰ網２０に対し、クライアント（ＵＡＣ：User Agent Client）として要求メッセージを送信するとともに、サーバ（ＵＡＳ：User Agent Server）として応答メッセージを送信することができる。すなわち、ＩＰ電話装置１０，１１は、ＩＰパケットが送受信できるデジタル通信端末であり、それ自体が独立した電話機である場合のみならず、アナログ電話機が接続されたＶｏＩＰゲートウエイであってもよいし、音声入出力が可能なパーソナルコンピュータ等であってもよい。さらに、無線回線を介してＩＰ網２０に接続されるＶｏＩＰ通話が可能な移動体通信端末であってもよい。
【００２０】
プロキシーサーバ２１，２２は、ＩＰ電話装置１０，１１間で送受信されるＳＩＰメッセージを中継する装置であり、ＩＰ電話装置１０，１１間で呼接続制御が行われる際、要求メッセージをＵＡＳに向けて、応答メッセージをＵＡＣに向けてルーティングしている。なお、呼接続制御はプロキシーサーバ２１，２２を介して行われるが、ＩＰ電話装置１０，１１間で通話セッションが確立された後は、プロキシーサーバ２１，２２を介することなく音声データパケットの送受信が行われる。
【００２１】
ロケーションサーバ２３は、ＩＰ電話装置１０，１１の位置に関するデータベースを有し、プロキシーサーバ２１，２２に対し、ＳＩＰメッセージのルーティングに必要な情報を提供している。具体的には、各ＩＰ電話装置１０，１１のＩＰ電話番号やＵＲＩ（Uniform Resource Identifier）をＩＰアドレスやプロキシーサーバ２１，２２に対応づけて記憶している。
【００２２】
図２は、図１のＩＰ電話システムにおける基本動作の一例を示したシーケンス図であり、ＩＰ電話装置１０からＩＰ電話装置１１へ発信が行われ、通話セッションが確立された後に通話が開始され、当該通話セッションが開放されるまでの一連の手順が示されている。
【００２３】
まず、発信元となるＩＰ電話装置１０が、プロキシーサーバ２１に対して接続要求メッセージ（INVITE）を送信する。この接続要求メッセージ（INVITE）は、発信先としてのＩＰ電話装置１１をＩＰ電話番号又はＵＲＩにより指定したデータパケットである。プロキシーサーバ２１は、ＩＰ電話装置１０のユーザが予め加入契約を行っているＳＩＰサーバであり、ＩＰ電話装置１０の認証を行った後、この接続要求メッセージ（INVITE）をプロキシーサーバ２２へ転送する。また、このとき、ＩＰ電話装置１０に対し、試行中メッセージ（Trying）が返送される。
【００２４】
プロキシーサーバ２２は、ＩＰ電話装置１１のユーザが予め加入契約を行っているＳＩＰサーバであり、発信先ＩＰ電話装置１１に対する発信要求メッセージは、一旦、このプロキシーサーバ２２へ転送される。転送先がプロキシーサーバ２２であることは、プロキシーサーバ２１が、ロケーションサーバ２３に対し、ＩＰ電話番号又はＵＲＩにより発信先ＩＰ電話装置１１を指定した問い合わせを行うことによって決定される。
【００２５】
接続要求メッセージ（INVITE）を受信したＩＰ電話装置１１は、通話中でなければ、呼び出し音の鳴動等により、着信があったことをユーザに報知するとともに、プロキシーサーバ２２へ呼び出し中メッセージ（Ringing）を返送する。この呼び出し中メッセージは、プロキシーサーバ２２及び２１を介してＩＰ電話装置１０へ伝送される。この呼び出し状態において、IＰ電話装置１１のユーザが、オフフック操作を行えば、成功応答メッセージ（OK）が、プロキシーサーバ２２及び２１を介してＩＰ電話装置１０へ伝送される。
【００２６】
成功応答メッセージ（OK）を受信したＩＰ電話装置１０は、ＩＰ電話装置１１に対し、最終応答メッセージ（ACK）を送信し、ＩＰ電話装置１０，１１間に通話セッションが確立される。この最終応答メッセージ（ACK）は、ＩＰ電話装置１１のＩＰアドレスを宛先とするデータパケットであり、プロキシサーバ２１及び２２を介することなく、直接、ＩＰ電話装置１１に伝送される。なお、最終応答メッセージ（ACK）とは、一つのトランザクションが完了したことを通知するメッセージであり、ここでは、接続要求メッセージ（INVITE）で始まる一連の手順の完了を意味している。
【００２７】
その後は、ＩＰ電話装置１０，１１間において、互いに他方のＩＰアドレスを宛先とするデータパケットを送受信することにより通話が可能となる。つまり、プロキシサーバ２１及び２２を介することなく、音声データを含むＩＰパケットが送受信される。
【００２８】
通話中に、いずれか一方のＩＰ電話装置１０，１１においてオンフック操作が行われると、通話セッションが切断され、通話は終了する。例えば、ＩＰ電話装置１１において、オンフック操作が行われた場合、ＩＰ電話装置１１から終了要求メッセージ（BYE）が送信される。この終了要求メッセージ（BYE）を受信したＩＰ電話装置１０は、成功応答メッセージ（OK）を返送し、ＩＰ電話装置１０及び１１間の通話セッションが切断される。
【００２９】
なお、ここでは、一例としてプロキシーサーバ２１，２２を介してＳＩＰメッセージを送受信するＩＰ電話システムの例について説明したが、本発明は、プロキシサーバ２１，２２を介さずに呼接続制御を行うＩＰ電話システムにも適用することができる。例えば、ＩＰ電話装置１０，１１間においてピアツーピアでＳＩＰメッセージを送受信するＩＰ電話システムにも適用することができる。
【００３０】
図３は、本発明の実施の形態１によるＩＰ電話システムの一例について説明するための図であり、ＩＰ電話装置１０及びＩＰ電話装置１１の通話が終了するのを待っているＩＰ電話装置１２が、ＩＰ電話装置１３との通話を開始し、この通話中にＩＰ電話装置１１の通話が終了した場合の様子が示されている。図中の１０〜１３は、いずれもＩＰ網２０を介して接続されたＩＰ電話装置であり、図１で示されていたＳＩＰプロキシーサーバ２１，２２、ロケーションサーバ２３は便宜上省略されている。
【００３１】
まず、ＩＰ電話装置１０，１１間で通話セッションが確立され、通話中であるものとする。このＩＰ電話装置１１に対し、ＩＰ電話装置１２から発信が行われた場合、発信元となるＩＰ電話装置１２は、発信先となる通話中のＩＰ電話装置１１から通話中応答メッセージ（Busy）を受信することになる。
【００３２】
通話中応答メッセージ（Busy）を受信した発信元ＩＰ電話装置１２のユーザは、自動リダイヤルを選択することができる。自動リダイヤルが選択された場合、発信先ＩＰ電話装置１１に対して終話通知要求が行われる。この場合、通話終了時の発信先ＩＰ電話装置１１から終話通知を受け取ることができ、この終話通知に基づいて、発信先ＩＰ電話装置１１に対する自動リダイヤルが行われる。
【００３３】
ところが、発信先ＩＰ電話装置１１からの終話通知を待っている発信元ＩＰ電話装置１２に対し、他のＩＰ電話装置１３から着信があった場合、当該ＩＰ電話装置１３との通話が開始される。この通話中に、発信先ＩＰ電話装置１１の通話が終了し、発信元ＩＰ電話装置１２へ終話通知が送信された場合、発信元ＩＰ電話装置１２は、発信先ＩＰ電話装置１１との通話を開始することができない。このため、発信元ＩＰ電話装置１２は、自動リダイヤルを行わずに、先の終話通知要求のキャンセルを行う。
【００３４】
図４は、発信先が通話中であった場合におけるシグナリング手順の一例を示したシーケンス図であり、図３のＩＰ電話装置１２が発信した際、発信先であるＩＰ電話装置１１がＩＰ電話装置１０と通話中であった場合の動作が示されている。
【００３５】
発信元ＩＰ電話装置１２において、発信先ＩＰ電話装置１１を指定した発信操作が行われると、ＩＰ電話装置１２からＩＰ電話装置１１に対し、接続要求メッセージ（INVITE）Ｍ１００が送信される。このとき、発信先ＩＰ電話装置１１は他のＩＰ電話装置１０との通話中であるため、発信先ＩＰ電話装置１１からは通話中応答メッセージ（Busy）Ｍ１０１が返送される。その後、発信元ＩＰ電話装置１２から最終応答メッセージ（ACK）Ｍ１０２が送られ、このトランザクションは完了する。
【００３６】
このとき、発信元ＩＰ電話装置１２では、ユーザが自動リダイヤルを利用するか否かを決定することができる。自動リダイヤルを選択した場合、通話中の発信先ＩＰ電話装置１１に対し終話通知要求メッセージ（SUBSCRIBE）Ｍ１０３が送信される。これに対し、発信先ＩＰ電話装置１１からは当該要求に対する成功応答メッセージ（OK）Ｍ１０４が返送される。
【００３７】
その後、発信元ＩＰ電話装置１２がＩＰ電話装置１３と通話を開始したとする。この通話中にＩＰ電話装置１１とＩＰ電話装置１０の通話が終了すれば、通話中の発信元ＩＰ電話装置１２が、発信先ＩＰ電話装置１１から終話通知メッセージ（NOTIFY）Ｍ１０５を受信することになる。この場合、発信元ＩＰ電話装置１２は通話中であることから、接続要求メッセージ（INVITE）ではなく、終話通知要求取消メッセージ（CANCEL）Ｍ１０６が発信先ＩＰ電話装置１１へ送信され、当該メッセージに対する成功応答メッセージ（OK）Ｍ１０７がＩＰ電話装置１１からＩＰ電話装置１２へ発信される。
【００３８】
その後、ＩＰ電話装置１３との通話が終了すれば、発信元ＩＰ電話装置１２は、通話中に受信した終話通知メッセージ（NOTIFY）に基づき、通話終了後に接続要求メッセージ（INVITE）Ｍ１０８の送信を行う。すなわち、ＩＰ電話装置１３との通話終了後にＩＰ電話装置１１に対し自動リダイヤルが行われる。
【００３９】
図５は、図３の各ＩＰ電話装置１０〜１３の要部の一構成例を示したブロック図である。このＩＰ電話装置は、スプリッタ３０、電話機３１、切替回路３２、着信検出回路３３及びＶｏＩＰゲートウエイ３４により構成される。ＶｏＩＰゲートウエイ３４は、電話機３１をＡＤＳＬ回線に接続し、ＶｏＩＰ通話を実現するための装置であり、主制御部４０、ＶｏＩＰ処理部４１、電話制御部４２、終話通知要求記憶部４３、入出力制御部４４、キー操作部４５、表示部４６、サウンド出力部４７及び終話通知記憶部５０により構成される。
【００４０】
スプリッタ３０は、図示しない交換局に電話線で接続され、この交換局を介してＩＰ網２０に接続されている。上記電話線は、ＰＳＴＮ（Public Switched Telephone Network）加入者回線及びＡＤＳＬ（Asynchronous Digital Subscriber Line）回線を重畳可能な信号線であり、交換局では、ＰＳＴＮ加入者回線（以下、単にＰＳＴＮ回線と呼ぶ）がＰＳＴＮに、ＡＤＳＬ回線がＩＰ網２０に接続される。スプリッタ３０は、ＰＳＴＮ回線及びＡＤＳＬ回線の分離及び合成を行って、ＰＳＴＮ回線を切替回路３２に、ＡＤＳＬ回線をＶｏＩＰゲートウエイ３４に接続している。
【００４１】
電話機３１は、ハンドセット及びダイヤル操作部を有し、ＰＳＴＮ回線に接続して使用されるアナログ電話機であり、ここでは切替回路３２に接続されている。切替回路３２は、スプリッタ３０のＰＳＴＮ回線が接続されるとともに、ゲートウエイ３４を介してＡＤＳＬ回線が接続され、電話機３１をＰＳＴＮ回線側又はＡＤＳＬ回線（つまりＶｏＩＰ）側のいずれかに選択的に接続する。
【００４２】
着信検出回路３３は、ＰＳＴＮ回線経由で受信されたＣＡＲ信号又はＩＲ信号に基づいて着信検出を行っている。また、ＶｏＩＰゲートウエイ３４からＶｏＩＰ通信の状態が入力されている。着信検出回路３３がＰＳＴＮ回線の着信を検出した場合、切替回路３２はＰＳＴＮ側に切り替えられ、電話機３１はＰＳＴＮ回線へ接続される。ただし、ＶｏＩＰによる通話中であれば上記切替は行われない。
【００４３】
一方、ＶｏＩＰゲートウエイ３４が着信を検出した場合、切替回路３２はＶｏＩＰ側に切り替えられ、電話機３１はＶｏＩＰゲートウエイ３４に接続される。ただし、ＰＳＴＮによる通話中であれば、上記切替は行われない。従って、ＶｏＩＰゲートウエイ３４は、接続要求メッセージを受信した場合、他のＩＰ電話装置との通話中の場合はもちろんのこと、ＰＳＴＮによる通話中の場合も、発信元ＩＰ電話装置へ通話中応答メッセージを返送する。
【００４４】
ＶｏＩＰ処理部４１は、ＡＤＳＬ回線を介してＩＰパケット、例えば、ＳＩＰパケットや音声データパケットの送受信処理を行っている。例えば、発信時には、接続要求メッセージをスプリッタ３０を介してＩＰ網２０へ送出し、着信時には、スプリッタ３０を介してＩＰ網２０から接続要求メッセージを受信する。また、ＶｏＩＰ処理部４１は、ＩＰ網２０からスプリッタ３０を介して受信した音声データパケットをアナログ音声信号へ変換し、切替回路３２を介して電話機３１へ出力している。また、電話機３１からのアナログ音声信号をＩＰパケットへ変換し、スプリッタ３０を介してＩＰ網２０へ送出している。
【００４５】
電話制御部（ＳＬＩＣ：Subscriber Line Interface Circuit）４２は、切替回路３２に接続され、切替回路３２に対してＰＳＴＮ回線の交換局に相当するインターフェースを提供する回路である。すなわち、電話制御部４２において、給電線制御、状態監視、２線−４線変換などが行われており、電話機３１から見れば、ＶｏＩＰゲートウエイ３４側もＰＳＴＮ回線とみなすことができる。
【００４６】
主制御部４０は、ＶｏＩＰ処理部４１の動作制御を行っている。特に、ＶｏＩＰ通信のためのシグナリング（呼制御）は、主制御部４０が生成したＳＩＰメッセージをＶｏＩＰ処理部４１が送信し、また、ＶｏＩＰ処理部４１が受信したＳＩＰメッセージを主制御が解析及び判別することによって行われる。
【００４７】
終話通知要求記憶部４３は、終話通知要求メッセージを記憶する記憶手段である。主制御部４０は、通話中に終話通知要求メッセージを受信すれば、そのメッセージを終話通知要求記憶部４３へ格納する。そして、当該通話の終了後に、終話通知要求記憶部４３のメッセージに基づいて、要求を行ったＩＰ電話装置に対する終話通知メッセージを生成し、ＶｏＩＰ処理部４１がこのメッセージを送信する。
【００４８】
終話通知記憶部５０は、終話通知メッセージを記憶する記憶手段である。主制御部４０は、通話中に終話通知メッセージを受信すれば、そのメッセージを終話通知記憶部５０へ格納する。そして、当該通話の終了後に、終話通知記憶部５０のメッセージに基づいて、終話通知要求を行ったＩＰ電話装置に対する接続要求メッセージを生成し、ＶｏＩＰ処理部４１がこのメッセージを送信する。
【００４９】
入出力制御部４４は、キー操作部４５、表示部４６及びサウンド出力部４７を用いたユーザＩ／Ｆを制御している。表示部４６及びサウンド出力部４７は、ユーザに対し、ＶｏＩＰゲートウエイ３４に関する様々な情報を報知するための出力手段である。キー操作部４５は、ユーザが様々な操作入力を行うための入力手段であり、自動リダイヤルキー４８が含まれている。自動リダイヤルキーは、発信先のＩＰ電話装置が通話中であった場合に、終話通知を待って自動的にリダイヤルを行うことを指示する操作キーである。
【００５０】
図６は、図５のＶｏＩＰ処理部４１の一構成例を示したブロック図である。ＶｏＩＰ処理部４１は、ＡＤＳＬモデム６０、ＡＤＳＬ制御部６１、ＶｏＩＰ制御部６２、ＤＳＰ制御部６３、ＤＳＰコーデック６４により構成される。
【００５１】
ＡＤＳＬ制御部６１は、変復調手段としてのＡＤＳＬモデム６０を制御し、ＡＤＳＬ回線に対する信号処理を行っている。ＩＰ網２０から伝送されたＩＰパケットは、ＡＤＳＬモデム６０で復調された後、ＡＤＳＬ制御部６１を介してＶｏＩＰ制御部６２へ入力される。また、ＶｏＩＰ制御部６２で生成されたＩＰパケットは、ＡＤＳＬ制御部６１を介してＡＤＳＬモデム６０で変調され、ＩＰ網２０へ送出される。
【００５２】
ＶｏＩＰ制御部６２では、ＩＰパケットの送受信処理が行われている。ＶｏＩＰ制御部６２が、ＡＤＳＬ制御部６１からＳＩＰパケットを受信すれば、当該パケットに含まれるメッセージを主制御部４０へ出力する。また、主制御部４０から送信メッセージが出力された場合には、当該メッセージを含むＳＩＰパケットを生成し、ＡＤＳＬ制御部６１へ出力する。
【００５３】
さらに、音声データについては、ＶｏＩＰ制御部６２において、パケット化処理及びその復元処理が行われている。ＶｏＩＰ制御部６２が、ＡＤＳＬ制御部６１からの音声データパケットを受信すれば、これらのパケットをシーケンス番号に従って並び替え、順次に音声データへ復元し、ＤＳＰ制御部６３へ出力している。また、ＤＳＰ制御部６３からの音声データをパケット化し、音声データパケットとしてＡＤＳＬ制御部６１へ出力する。
【００５４】
ＤＳＰ（Digital Signal Processor）制御部６３は、ＤＳＰコーデック６４を制御し、音声データに対する符号化処理及び復号化処理を行っている。ＶｏＩＰ制御部６２で復元された音声データは、ＤＳＰ制御部６３を介してＤＳＰコーデック６４で復号化（デコード）された後、アナログ音声信号として切替回路３２へ出力される。また、切替回路３２から入力された音声信号は、ＤＳＰコーデック６４でデジタル符号化され、ＤＳＰ制御部６３を介してＶｏＩＰ制御部６２へ出力される。
【００５５】
図７のステップＳ１０１〜Ｓ１０９は、図３の発信先ＩＰ電話装置１１における動作の一例を示したフローチャートである。まず、ＩＰ電話装置１０からの接続要求メッセージ（INVEITE）を受信することにより、通話が開始される（ステップＳ１０１，Ｓ１０２）。この通話中に、他のＩＰ電話装置１２から接続要求メッセージ（INVITE）を受信すれば、通話中応答メッセージ（Busy）を発信元ＩＰ電話装置１２へ返送する（ステップＳ１０３，Ｓ１０４）。
【００５６】
また、上記通信中に、発信元ＩＰ電話装置１２から終話通知要求メッセージ（SUBSCRIBE）を受信した場合には、主制御部４０が、この受信メッセージを終話通知要求記憶部４３に格納する（ステップＳ１０５，Ｓ１０６）。上記通話が終了するまでは、これらのステップＳ１０３〜Ｓ１０６が繰り返される（ステップＳ１０７）。
【００５７】
ＩＰ電話装置１０との通話が終了すれば、終話通知要求記憶部４３に記憶されている終話通知要求メッセージ（SUBSCRIBE）に基づいて、終話通知メッセージ（NOTIFY）を送信する（ステップＳ１０８，Ｓ１０９）。すなわち、ＩＰ電話装置１０との通話中に、ＩＰ電話装置１２から終話通知要求メッセージ（SUBSCRIBE）を受信していた場合、ＩＰ電話装置１１から発信元ＩＰ電話装置１２へ終話通知メッセージ（NOTIFY）が送信される。
【００５８】
一方、通話中に終話通知要求メッセージ（SUBSCRIBE）を受信していない場合には、処理を終了する。なお、２以上のＩＰ電話装置から終話通知要求メッセージ（SUBSCRIBE）を受信していた場合であれば、各ＩＰ電話装置に対し、終話通知メッセージ（NOTIFY）が送信される。
【００５９】
図８のステップＳ２０１〜Ｓ２１４は、図３の発信元ＩＰ電話装置１２における動作の一例を示したフローチャートである。ＩＰ電話装置１２が、通話中のＩＰ電話装置１１に対して接続要求メッセージ（INVITE）を送信すると、通話中応答メッセージ（Busy）が返送される（ステップＳ２０１，Ｓ２０２）。
【００６０】
通話中応答メッセージ（Busy）を受信した場合、発信元ＩＰ電話装置１２のユーザは、自動リダイヤル機能を利用するか否かを判断し、利用する場合にはキー操作部４５の自動リダイヤルキー４８を操作する（ステップＳ２０３）。自動リダイヤルを利用しない場合には当該処理を終了する。自動リダイヤルキーが操作された場合、この操作入力は、入出力制御部４４を介して主制御部４０へ入力され、ＶｏＩＰ処理部４１が、主制御部４０の指示に基づいて、通話中の発信先ＩＰ電話装置１１に対し、終話通知要求メッセージ（SUBSCRIBE）を送信する（ステップＳ２０４）。
【００６１】
その後、通話を終了した発信先ＩＰ電話装置１１から終話通知メッセージ（NOTIFY）を受信するまで待機し、このメッセージを受信すれば自動リダイヤルを実行する（ステップＳ２０９，２１３）。しかしながら、待機中に他の電話装置からの着信がある場合や他の電話装置へ発信する場合も想定される。ＩＰ電話装置１３からの着信があった場合、あるいは、ＩＰ電話装置１３へ発信した場合には、図３に示した通り、ＩＰ電話装置１３との通話が開始される（ステップＳ２０５，Ｓ２０６）。
【００６２】
ＩＰ電話装置１３との通話中に、発信先ＩＰ電話装置１１から終話通知メッセージ（NOTIFY）を受信した場合、メッセージを終話通知記憶部５０に格納する（ステップＳ２０７，Ｓ２０８）。加えて、ＩＰ電話装置１２の主制御部４０は、従来技術の様に接続要求メッセージ（INVITE）を自動送信するのではなく、終話通知要求取消メッセージ（CANCEL）を自動送信する。送信先はＩＰ電話装置１１である（ステップＳ２０９）。
【００６３】
このとき、自動リダイヤルのキャンセル情報がＩＰ電話装置１２の表示部４６に表示され、発信先ＩＰ電話装置１１の通話が終了したが、自局が通話中であるため自動リダイヤルがキャンセルされたことがユーザに報知される。その後、ＩＰ電話装置１３との通話が終了するまで、ステップＳ２０７〜Ｓ２０９が繰り返される（ステップＳ２１０）。
【００６４】
ＩＰ電話装置１３との通話中に発信先ＩＰ電話装置１１から終話通知メッセージ（NOTIFY）を受信することなく、当該通話が終了した場合にはステップＳ２０５へ戻り、発信先ＩＰ電話装置１１から終話通知メッセージ（NOTIFY）が送信されるのを待つ（ステップＳ２１１）。
【００６５】
一方、ＩＰ電話装置１３との通話中にＩＰ電話装置１１から終話通知メッセージ（NOTIFY）を受信していた場合には、当該通話の終了時に、終話通知記憶部５０に格納された終話通知メッセージに基づき、ＩＰ電話装置１２は接続要求メッセージ（INVITE）を自動送信する（ステップＳ２１０，Ｓ２１３）。
【００６６】
なお、終話通知メッセージ（NOTIFY）を受信したＩＰ電話装置１２が通話中でなければ、発信先ＩＰ電話装置１１に対し、当該通知に対する成功応答メッセージ（OK）を送信するとともに、接続要求メッセージ（INVITE）を自動送信する（ステップＳ２０５，Ｓ２１２，Ｓ２１３）。
【００６７】
いずれの場合であっても、自動送信した接続要求メッセージ（INVITE）に対する成功応答メッセージ（OK）を受信すれば、その後、最終応答メッセージ（ACK）を送信することにより、ＩＰ電話装置１１との通話セッションが確立され、通話が開始される（ステップＳ２１４）。
【００６８】
本実施の形態によれば、発信先ＩＰ電話装置１１に対し終話通知要求を行った発信元ＩＰ電話装置１２が、終話通知メッセージ（NOTIFY）を受信した際に通話中であった場合、発信先ＩＰ電話装置１１に対し、接続要求メッセージ（INVITE）ではなく終話通知要求取消メッセージ（CANCEL）を送信する。従って、発信先ＩＰ電話装置１１との通話を開始できない状態であれば、発信元ＩＰ電話装置１２が自動リダイヤルを行うことはない。また、発信先ＩＰ電話装置１１に対し、終話通知要求の取り消しを通知することができる。
【００６９】
なお、本実施の形態では、発信元ＩＰ電話装置１２が、他のＩＰ電話装置１３との通話中に終話通知メッセージ（NOTIFY）を受信した場合の例について説明したが、本発明はこのような場合に限定されない。すなわち、発信元ＩＰ電話装置１２が、新たな通話を開始できない様々な状態に適用することができ、ＩＰ電話装置との通話中には限定されない。例えば、発信元ＩＰ電話装置１２が、ＰＳＴＮ及びＶｏＩＰを利用可能であり、かつ、両者を同時には利用することはできない端末装置である場合、終話通知メッセージ（NOTIFY）の受信時にＰＳＴＮによる通話中であった場合についても本発明を適用することができる。
【００７０】
また、図７を用いて説明した通り、発信先ＩＰ電話装置１１が、通話中に複数のＩＰ電話装置１２，１２’，…から終話通知要求メッセージ（SUBSCRIBE）を受信した場合であれば、通話終了時に、各ＩＰ電話装置１２，１２’，…に対し終話通知メッセージ（NOTIFY）が順次に送信される。この場合、ＩＰ電話装置１１は、ＩＰ電話装置１２へ終話通知メッセージ（NOTIFY）を送信した後、所定の期間、当該ＩＰ電話装置１２からの接続要求メッセージ（INVITE）を待ち、その後に、次のＩＰ電話装置１２’へ終話通知メッセージ（NOTIFY）を送信するように動作させることが望ましい。ＩＰ電話装置１１が、この様な動作を行う場合、通話中のＩＰ電話装置１２から終話通知要求取消メッセージ（CANCEL）を受信することができれば、ＩＰ電話装置１２からの接続要求メッセージ（INVITE）を待つことなく、次のＩＰ電話装置１２’へ終話通知メッセージ（NOTIFY）を送信することが可能になる。
【００７１】
また、発信先ＩＰ電話装置１１は、終話通知要求取消メッセージ（CANCEL）を受信した場合、発信元ＩＰ電話装置１２が自動リダイヤルをキャンセルした旨を発信先ＩＰ電話装置１１の表示部４６に表示し、発信先ＩＰ電話装置１１のユーザにキャンセル情報を伝えるようにすることが望ましい。
【００７２】
実施の形態２．
実施の形態１では、通話中のＩＰ電話装置１２が、終話通知メッセージ（NOTIFY）を受信した際、終話通知要求取消メッセージ（CANCEL）を自動送信するＩＰ電話システムの例について説明した。これに対し、本実施の形態では、更に、終話通知要求後のユーザ操作に基づいて、ＩＰ電話装置１２から終話通知要求取消メッセージ（CANCEL）を送信することができるＩＰ電話システムについて説明する。
【００７３】
図９は、図３のＩＰ電話装置１０〜１３の要部について、本発明の実施の形態２による一構成例を示したブロック図である。図５（実施の形態１）の場合と比較すれば、キー操作部４５に自動リダイヤルキャンセルキー４９を備えている点で異なる。
【００７４】
発信元ＩＰ電話装置１２のユーザが自動リダイヤルキーを押し、発信先ＩＰ電話装置１１に対して終話通知要求を行った後、終話通知要求メッセージを取り消すことが必要となる場合がある。例えば、発信先ＩＰ電話装置１１からの終話通知を待っている間にユーザが発信元ＩＰ電話装置１２を離れ、通話を開始できなくなった場合や、発信先ＩＰ電話装置１１との通話が不要になった場合が考えられる。
【００７５】
終話通知メッセージ（NOTIFY）の受信前に、ユーザが自動リダイヤルキャンセルキー４９を操作した場合、主制御部４０は、このキー操作に基づいて、ＶｏＩＰ処理部４１を介して、終話通知要求取消メッセージ（CANCEL）を発信先ＩＰ電話装置１１へ送信する。ただし、終話通知メッセージ（NOTIFY）の受信後であれば、終話通知要求取消メッセージ（CANCEL）が既に送信されているため、再送信は行われない。
【００７６】
図１０は、本発明の実施の形態２によるシグナリング手順の一例を示したシーケンス図であり、図３のＩＰ電話装置１２が発信した際、発信先であるＩＰ電話装置１１がＩＰ電話装置１０と通話中であった場合の動作が示されている。図４（実施の形態１）の場合と比較すれば、自動リダイヤルキャンセルの選択をユーザが行える点で異なる。
【００７７】
通話中応答メッセージ（Busy）を受信した発信元ＩＰ電話装置１２では、自動リダイヤルを利用するか否かがユーザによって決定される。自動リダイヤルが選択された場合、通話中の発信先ＩＰ電話装置１１に対し終話通知要求メッセージ（SUBSCRIBE）Ｍ２０３が送信される。このとき、発信先ＩＰ電話装置１１からは当該要求に対する成功応答メッセージ（OK）Ｍ２０４が返送される。
【００７８】
このＩＰ電話システムでは、自動リダイヤルをキャンセルするか否かが、自動リダイヤルを選択した発信元ＩＰ電話装置１２のユーザによって決定される。自動リダイヤルのキャンセルが選択された場合、発信先ＩＰ電話装置１１に対し終話通知要求取消メッセージ（CANCEL）Ｍ２０５が送信される。このとき、発信先ＩＰ電話装置１１からは成功応答メッセージ（OK）Ｍ２０６が返送される。
【００７９】
図１１のステップＳ３０１〜Ｓ３１１は、図３の発信先ＩＰ電話装置１１について、本発明の実施の形態２による動作の一例を示したフローチャートである。図１１のステップＳ３０１〜Ｓ３０４は、図７（実施の形態１）のステップＳ１０１〜Ｓ１０４と同一であり、発信先ＩＰ電話装置１１が通話を終了した後のステップＳ３０９〜Ｓ３１１は、図７（実施の形態１）のステップＳ１０７〜Ｓ１０９と同一である。
【００８０】
ＩＰ電話装置１１が、通話中に、ＩＰ電話装置１２から終話通知要求メッセージ（SUBSCRIBE）を受信した場合、主制御部４０が、この受信メッセージを終話通知要求記憶部４３に格納する（ステップＳ３０５，Ｓ３０６）。終話通知要求メッセージ（SUBSCRIBE）を受信した後、さらに終話通知要求取消メッセージ（CANCEL）を受信した場合には、主制御部４０が終話通知要求記憶部４３に格納している終話通知要求メッセージ（SUBSCRIBE）を削除する（ステップＳ３０７，Ｓ３０８）。
【００８１】
図１２のステップＳ４０１〜Ｓ４１６は、図３の発信元ＩＰ電話装置１２について、本発明の実施の形態２による動作の一例を示したフローチャートである。図１２のステップＳ４０１〜Ｓ４０４は、図８（実施の形態１）のステップＳ２０１〜Ｓ２０４と同一であり、着信又は発信によりＩＰ電話装置１３との通話を開始した後のステップＳ４０７〜Ｓ４１６は、図８（実施の形態１）のステップＳ２０５〜Ｓ２１４と同一である。
【００８２】
終話通知要求メッセージ（SUBSCRIBE）をＩＰ電話装置１１へ送信した後、ユーザが自動リダイヤルキャンセルについて選択を行う。つまり、終話通知要求の取り消しを行うか否を決定する（ステップＳ４０５）。自動リダイヤルをキャンセルする場合は、ユーザ操作に基づき、終話通知要求取消メッセージ（CANCEL）を発信先ＩＰ電話装置１１へ送信する（ステップＳ４０６）。
【００８３】
本実施の形態によれば、終話通知要求メッセージ（SUBSCRIBE）を発信先ＩＰ電話装置１１へ送信した後であっても、ユーザの操作に基づいて終話通知要求取消メッセージ（CANCEL）を送信することにより、自動リダイヤルをキャンセルすることができる。このため、発信元ＩＰ電話装置１２のユーザが通話することができない状態、あるいは、発信先ＩＰ電話装置１１との通話がもはや不要になった状態であるにもかかわらず、自動リダイヤルが行われるのを防止することができる。
【００８４】
なお、本実施の形態では、ユーザ操作により終話通知要求を取り消しているため、その理由を問わず、終話通知メッセージ（NOTIFY）を受信する前に、終話通知要求を取り消すことができる。これに対し、通話中であるためにリダイヤルを行うことができない場合であれば、事前に要求取消メッセージ（CANCEL）を自動送信することもできる。すなわち、発信先ＩＰ電話装置１１へ終話通知要求メッセージ（SUBSCRIBE）を送信した後、他のＩＰ電話装置１３と通話開始を開始する場合、その通話の開始時に、発信先ＩＰ電話装置１１へ終話通知要求取消メッセージ（CANCEL）を送信してもよい。この場合には、自動送信することができ、終話通知要求を取り消すためのユーザ操作は不要である。
【図面の簡単な説明】
【００８５】
【図１】本発明が適用されるＩＰ電話システムの一例を示した概略図である。
【図２】図１のＩＰ電話システムにおける基本動作の一例を示したシーケンス図である。
【図３】本発明の実施の形態１によるＩＰ電話システムの一例について説明するための図である。
【図４】本発明の実施の形態１によるシグナリング手順の一例を示したシーケンス図である。
【図５】図３のＩＰ電話装置１０〜１３の要部の一構成例を示したブロック図である。
【図６】図５のＶｏＩＰ処理部４１の一構成例を示したブロック図である。
【図７】図３の発信先ＩＰ電話装置１１における動作の一例を示したフローチャートである。
【図８】図３の発信元ＩＰ電話装置１２における動作の一例を示したフローチャートである。
【図９】図３のＩＰ電話装置１０〜１３の要部について、本発明の実施の形態２による構成例を示したブロック図である。
【図１０】本発明の実施の形態２によるシグナリング手順の一例を示したシーケンス図である。
【図１１】図３の発信先ＩＰ電話装置１１について、本発明の実施の形態２による動作の一例を示したフローチャートである。
【図１２】図３の発信元ＩＰ電話装置１２について、本発明の実施の形態２による動作の一例を示したフローチャートである。
【符号の説明】
【００８６】
１０〜１３  ＩＰ電話装置
Ｍ１００，Ｍ１０８，Ｍ２００  接続要求メッセージ（INVITE）
Ｍ１０１，Ｍ２０１  通話中応答メッセージ（Busy）
Ｍ１０３，Ｍ２０３  終話通知要求メッセージ（SUBSCRIBE）
Ｍ１０５  終話通知メッセージ（NOTIFY）
Ｍ１０６，Ｍ２０５  終話通知要求取消メッセージ（CANCEL）
２０  ＩＰ網
２１，２２  プロキシーサーバ
２３  ロケーションサーバ
３０  スプリッタ
３１  電話機
３２  切替回路
３３  着信検出回路
３４  ＶｏＩＰゲートウエイ
４０  主制御部
４１  ＶｏＩＰ処理部
４２  電話制御部（ＳＬＩＣ）
４３  終話通知要求記憶部
４４  入出力制御部
４５  キー操作部
４６  表示部
４７  サウンド出力部
４８  自動リダイヤルキー
４９  自動リダイヤルキャンセルキー
５０  終話通知記憶部
６０  ＡＤＳＬモデム
６１  ＡＤＳＬ制御部
６２  ＶｏＩＰ制御部
６３  ＤＳＰ制御部
６４  ＤＳＰコーデック
【図１】
2005136449.tif 000003
【図２】
2005136449.tif 000004
【図３】
2005136449.tif 000005
【図４】
2005136449.tif 000006
【図５】
2005136449.tif 000007
【図６】
2005136449.tif 000008
【図７】
2005136449.tif 000009
【図８】
2005136449.tif 000010
【図９】
2005136449.tif 000011
【図１０】
2005136449.tif 000012
【図１１】
2005136449.tif 000013
【図１２】
2005136449.tif 000014